(57)【要約】
【課題】　長傘を収納する際、収納性及び携帯の便利性を向上するため、中棒の長さを縮めることができる自動式長傘の収縮中棒を提供する。
【解決手段】　封止端と開口端を有する中空状の上部ロッド（１０）と、上部ロッド（１０）の内部に固定する中空ロッド（２１）、中空ロッド（２１）の下端に固定する伸縮ロッド（２２）及び伸縮ロッド（２２）を収容する収容ロッド（２３）を備える伸縮部材（２０）と、伸縮部材（２０）を収容すると共に、内部に収容ロッド（２３）を固定する中空状の下部ロッド（３０）とを有することを特徴とする。
【選択図】　図１
0003100125.tif 000002
【実用新案登録請求の範囲】
【請求項１】
封止端と開口端を有する中空状の上部ロッド（１０）と、上部ロッド（１０）の内部に固定する中空ロッド（２１）、中空ロッド（２１）の下端に固定する伸縮ロッド（２２）及び伸縮ロッド（２２）を収容する収容ロッド（２３）を備える伸縮部材（２０）と、伸縮部材（２０）を収容すると共に、内部に収容ロッド（２３）を固定する中空状の下部ロッド（３０）とを有することを特徴とする自動式長傘の伸縮中棒。
【請求項２】
前記上部ロッド（１０）の中段に固定孔（１１）が形成され、伸縮部材（２０）における中空ロッド（２１）の上側に固定孔（１１）と対応する固定孔（２１０）が形成されると共に、外周面に中空ロッド（２１）の中心軸と平行する摺動溝（２１１）が形成され、これらの固定孔（１１）（２１０）に固定ピン（１２）を挿入することにより、上部ロッド（１０）と中空ロッド（２１）を互いに固定し、
　中空ロッド（２１）の中段に夫々下はじき孔（２１２）と上はじき孔（２１２０）が形成されると共に、それらの下はじき孔（２１２）と上はじき孔（２１２０）との間に下はじき（２１３０）部と上はじき部（２１３１）を有する湾弧状のはじき（２１３）が設置され、
　下部ロッド（３０）の上側付近に上はじき孔（３００）と中空ロッド（２１）における摺動溝（２１１）と対応する貫通孔（３２）が形成され、該貫通孔（３２）に摺動ピン（３３）が設けられることを特徴とする請求項１に記載の自動式長傘の伸縮中棒。
【請求項３】
前記中空ロッド（２１）の下端に外側にスプリング（２２０）を有する伸縮ロッド（２２）が設けられると共に、伸縮ロッド（２２）の下端に該伸縮ロッド（２２）を収容できる収容ロッド（２３）が設けられ、
　下部ロッド（３０）の中段に固定孔（３１）が形成されると共に、前記下部ロッド（３０）の内部に固定される収容ロッド（２３）の下端に固定孔（２３０）が形成され、これらの固定孔（３１）（２３０）に固定ピン（２４）が挿入され、
　伸縮ロッド（２２）の下端に外径が収容ロッド（２３）の内径より小さいと共に、収容ロッド（２３）の内部に挿入されるガイドロッド（２２１）が設けられ、このガイドロッド（２２１）の下端に外径が伸縮ロッド（２２）より大きいと共に、収容ロッド（２３）の内径より小さい係止ブロック（２２２）が設けられ、ガイドロッド（２２１）を挿入する収容ロッド（２３）の一端に内径が係止ブロック（２２２）の外径より小さい係止縁（２３１）が設けられることを特徴とする請求項２に記載の自動式長傘の伸縮中棒。
【考案の詳細な説明】
【技術分野】
【０００１】
　本考案は、特に長傘を収納する際、収納性及び携帯の便利性を向上させるため、中棒の長さを縮めることができる自動式長傘の収縮中棒に関するものである。
【背景技術】
【０００２】
　図８及び図９に示すように、従来の自動式長傘は所定の長さを有する中棒（８０）を有し、該中棒（８０）の上端付近に上ろくろ（８１）が設けられ、該上ろくろ（８１）の外側に複数の親骨（８２）が設けられ、中棒（８０）上に長手方向に沿って摺動可能なろくろ（８３）が設けられると共に、親骨（８２）とろくろ（８３）の間にスプリングを有する受骨（８４）が設けられ、更に、中棒（８０）における上ろくろ（８１）付近に止めブロック（８５）が設けられる。
【０００３】
　前記従来の自動式長傘を使用する際は、受骨（８４）におけるスプリングの付勢力によってろくろ（８３）を中棒（８０）に沿って上ろくろ（８１）側へ移動すると共に、止めブロック（８５）と接触することにより、親骨（８２）を展開させる。一方、長傘を収納する際、ろくろ（８３）を中棒（８０）に沿って上ろくろ（８１）と離間させることにより、親骨（８２）を収納することができる。
【考案の開示】
【考案が解決しようとする課題】
【０００４】
　しかしながら、前記従来の自動式長傘の中棒（８０）は、親骨（８２）を展開又は収納の時に、長さが変化しないので、長傘を収納又は携帯する際、非常に不便である。
【０００５】
　又、日傘として使用される自動式長傘の中棒はより短いことから、この長傘を使用する場合は、腕を高く上げなければならないので、長時間に使用すると、腕を痛めてしまう恐れがある。
【０００６】
　本願は上記課題に鑑みなされたものであり、長傘を収納する際、収納性及び携帯の便利性を向上するため、中棒の長さを縮めることができる自動式長傘の収縮中棒を提供することを目的としている。
【課題を解決するための手段】
【０００７】
　本願の請求項１の考案は、封止端と開口端を有する中空状の上部ロッド（１０）と、上部ロッド（１０）の内部に固定する中空ロッド（２１）、中空ロッド（２１）の下端に固定する伸縮ロッド（２２）及び伸縮ロッド（２２）を収容する収容ロッド（２３）を備える伸縮部材（２０）と、伸縮部材（２０）を収容すると共に、内部に収容ロッド（２３）を固定する中空状の下部ロッド（３０）とを有することを特徴とする自動式長傘の伸縮中棒及び、
　本願の請求項２の考案は、前記上部ロッド（１０）の中段に固定孔（１１）が形成され、伸縮部材（２０）における中空ロッド（２１）の上側に固定孔（１１）と対応する固定孔（２１０）が形成されると共に、外周面に中空ロッド（２１）の中心軸と平行する摺動溝（２１１）が形成され、これらの固定孔（１１）（２１０）に固定ピン（１２）を挿入することにより、上部ロッド（１０）と中空ロッド（２１）を互いに固定し、
　中空ロッド（２１）の中段に夫々下はじき孔（２１２）と上はじき孔（２１２０）が形成されると共に、それらの下はじき孔（２１２）と上はじき孔（２１２０）との間に下はじき（２１３０）部と上はじき部（２１３１）を有する湾弧状のはじき（２１３）が設置され、
　下部ロッド（３０）の上側付近に上はじき孔（３００）と中空ロッド（２１）における摺動溝（２１１）と対応する貫通孔（３２）が形成され、該貫通孔（３２）に摺動ピン（３３）が設けられることを特徴とする請求項１に記載の自動式長傘の伸縮中棒及び、
　本願の請求項３の考案は、前記中空ロッド（２１）の下端に外側にスプリング（２２０）を有する伸縮ロッド（２２）が設けられると共に、伸縮ロッド（２２）の下端に該伸縮ロッド（２２）を収容できる収容ロッド（２３）が設けられ、
　下部ロッド（３０）の中段に固定孔（３１）が形成されると共に、前記下部ロッド（３０）の内部に固定される収容ロッド（２３）の下端に固定孔（２３０）が形成され、これらの固定孔（３１）（２３０）に固定ピン（２４）が挿入され、
　伸縮ロッド（２２）の下端に外径が収容ロッド（２３）の内径より小さいと共に、収容ロッド（２３）の内部に挿入されるガイドロッド（２２１）が設けられ、このガイドロッド（２２１）の下端に外径が伸縮ロッド（２２）より大きいと共に、収容ロッド（２３）の内径より小さい係止ブロック（２２２）が設けられ、ガイドロッド（２２１）を挿入する収容ロッド（２３）の一端に内径が係止ブロック（２２２）の外径より小さい係止縁（２３１）が設けられることを特徴とする請求項２に記載の自動式長傘の伸縮中棒、を提供する。
【考案の効果】
【０００８】
　本考案に係る自動式長傘の伸縮中棒によれば、伸縮部材によって中棒を伸縮することにより、傘を収納する場合、中棒の長さを縮めるので、収納性及び携帯性を向上することができ、又、傘を使用する場合、中棒の長さを伸びるので、使用の便利性を向上することができる。
【考案を実施するための最良の形態】
【０００９】
　以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
　図１は本考案に係る自動式長傘の伸縮中棒の分解斜視図であり、図２は本考案に係る自動式長傘の伸縮中棒の伸び状態を示す一部拡大断面図であり、図３は本考案に係る自動式長傘の伸縮中棒の伸び状態を示す他の一部拡大断面図であり、図４は本考案に係る自動式長傘の伸縮中棒の伸長状態を示す断面図であり、図５は本考案に係る自動式長傘の伸縮中棒の伸長状態を示す他の断面図であり、図６は本考案に係る自動式長傘の伸縮中棒の収縮状態を示す断面図であり、図７は本考案に係る自動式長傘の伸縮中棒の収縮状態を示す他の断面図である。
【００１１】
　図１乃至図３に示すように、本考案に係る自動式長傘の伸縮中棒は上部ロッド（１０）と、伸縮部材（２０）と、下部ロッド（３０）とを備え、上部ロッド（１０）は封止端と開口端を有する中空のパイプであり、伸縮部材（２０）は該上部ロッド（１０）の開口端の内部に固定される中空ロッド（２１）と、該中空ロッド（２１）の下端に固定される伸縮ロッド（２２）と、伸縮ロッド（２２）の下端と連結すると共に、該伸縮ロッド（２２）を収容する中空の収容ロッド（２３）とを有し、下部ロッド（３０）は中空のパイプであり、内部に伸縮部材（２０）を収容すると共に、上端の付近に上はじき孔（３００）が形成され、前記伸縮部材（２０）の収容ロッド（２３）が下部ロッド（３０）の内部に固定される。
【００１２】
　前記上部ロッド（１０）の中段に固定孔（１１）が形成され、中空ロッド（２１）の上側に固定孔（１１）と対応する固定孔（２１０）が形成されると共に、外周面に中空ロッド（２１）の中心軸と平行する摺動溝（２１１）が形成され、更に、これらの固定孔（１１）（２１０）に固定ピン（１２）を挿入することにより、上部ロッド（１０）と中空ロッド（２１）を互いに固定することができる。
【００１３】
　前記中空ロッド（２１）の中段に夫々下はじき孔（２１２）と上はじき孔（２１２０）が形成されると共に、下はじき孔（２１２）と上はじき孔（２１２０）との間に下はじき部（２１３０）と上はじき部（２１３１）を有する湾弧状のはじき（２１３）が設けられ、又、中空ロッド（２１）の下端に外側にスプリング（２２０）を有する伸縮ロッド（２２）が設けられると共に、伸縮ロッド（２２）の下端に収容ロッド（２３）が設けられる。
【００１４】
　前記伸縮ロッド（２２）の下端に外径が収容ロッド（２３）の内径より小さいと共に、収容ロッド（２３）の内部に挿入するガイドロッド（２２１）が設けられ、このガイドロッド（２２１）の下端に外径が伸縮ロッド（２２）より大きいと共に、収容ロッド（２３）の内径より小さい係止ブロック（２２２）が設けられ、ガイドロッド（２２１）を挿入する収容ロッド（２３）の一端に内径が係止ブロック（２２２）の外径より小さい係止縁（２３１）が設けられることにより、伸縮ロッド（２２）を収容ロッド（２３）から脱落しないように収容ロッド（２３）の内部に摺動することができる。
【００１５】
　又、前記下部ロッド（３０）の中段に固定孔（３１）が形成され、前記下部ロッド（３０）の内部に固定される収容ロッド（２３）の下端に固定孔（２３０）が形成され、これらの固定孔（３１）（２３０）に固定ピン（２４）を挿入することにより、収容ロッド（２３）と下部ロッド（３０）を互いに固定することができる。
【００１６】
　前記下部ロッド（３０）の上側付近に中空ロッド（２１）における摺動溝（２１１）と対応する貫通孔（３２）が形成されると共に、該貫通孔（３２）に摺動ピン（３３）が設けられることにより、中空ロッド（２１）を下部ロッド（２０）から脱落することを防止できる。又、下部ロッド（３０）の下端にろくろを係り止めるため従来のはじきが設けられる。
【００１７】
　図２乃至図５に示すように、本考案に係る伸縮中棒を設ける傘を展開する場合、下部ロッド（３０）におけるろくろ（５０）の係止用はじきを押圧することによってろくろ（５０）の係止状態を解除すると、受骨におけるスプリングの付勢力によって親骨を展開させ、伸縮部材（２０）は伸縮ロッド（２２）のスプリング（２２０）によって下部ロッド（３０）の上方へ移動されると共に、ろくろ（５０）を上ろくろ（６０）へ連動させ、この際、中空ロッド（２１）の中段部分が下部ロッド（３０）から突出されるので、下部ロッド（３０）に収縮するはじき（２１３）の下はじき（２１３０）を中空ロッド（２１）の下はじき孔（２１２）から突出することにより、中棒の長さは上部ロッド（１０）と伸縮部材（２０）の中空ロッド（２１）の一部と下部ロッド（２０）の総合になる。
【００１８】
　図６及び図７に示すように、本考案に係る伸縮中棒を設ける傘を収納する場合、はじき（２１３）の下はじき（２１３０）を押圧すると共に、該下はじき（２１３０）を中空ロッド（２１）の内部に収縮することにより、ろくろが中棒に沿って下部ロッド（３０）へ移動され、この際、中空ロッド（２１）が伸縮ロッド（２２）におけるスプリング（２２０）の付勢力を抵抗して、その中段部分が下部ロッド（３０）の内部に移動されると共に、伸縮ロッド（２２）が収容ロッド（２３）の内部に移動されることにより、下部ロッド（３０）が上方へ移動されると共に、はじき（２１３）の上はじき（２１３１）が上はじき孔（３００）から突出するので、下部ロッド（３０）と中空ロッド（２１）を互いに固定し、更に、従来の操作方式と同じようにろくろを下部ロッド（３０）の下端におけるはじきと係止することにより、中棒を再び延びることを防止する。この際、中棒の長さは上部ロッド（１０）とと下部ロッド（２０）の総合になる。
【産業上の利用可能性】
【００１９】
　本考案は上記の構成を有し、伸縮部材によって中棒を伸縮することにより、傘を収納する場合、中棒の長さを縮めるので、収納性及び携帯性を向上することができ、又、傘を使用する場合、中棒の長さを伸びるので、使用の便利性を向上することができる。
【図面の簡単な説明】
【００２０】
【図１】本考案に係る自動式長傘の伸縮中棒の分解斜視図である。
【図２】本考案に係る自動式長傘の伸縮中棒の伸び状態を示す一部拡大断面図である。
【図３】本考案に係る自動式長傘の伸縮中棒の伸び状態を示す他の一部拡大断面図である。
【図４】本考案に係る自動式長傘の伸縮中棒の伸長状態を示す断面図である。
【図５】本考案に係る自動式長傘の伸縮中棒の伸長状態を示す他の断面図である。
【図６】本考案に係る自動式長傘の伸縮中棒の収縮状態を示す断面図である。
【図７】本考案に係る自動式長傘の伸縮中棒の収縮状態を示す他の断面図である。
【図８】従来の自動式長傘を展開する際の中棒を示す断面図である。
【図９】従来の自動式長傘を収容する際の中棒を示す断面図である。
【符号の説明】
【００２１】
１０　　　　上部ロッド
１１　　　　固定孔
１２　　　　固定ピン
２０　　　　伸縮部材
２１　　　　中空ロッド
２１０　　　固定孔
２１１　　　摺動溝
２１２　　　下はじき孔
２１２０　　上はじき孔
２１３　　　はじき
２１３０　　下はじき部
２１３１　　上はじき部
２２　　　　伸縮ロッド
２２０　　　スプリング
２２１　　　ガイドロッド
２２２　　　係止ブロック
２３　　　　収容ロッド
２３０　　　固定孔
２３１　　　係止縁
２４　　　　固定ピン
３０　　　　下部ロッド
３００　　　上はじき孔
３１　　　　固定孔
３２　　　　貫通孔
３３　　　　摺動溝
５０　　　　ろくろ
６０　　　　上ろくろ
８０　　　　中棒
８１　　　　上ろくろ
８２　　　　親骨
８３　　　　ろくろ
８４　　　　受骨
８５　　　　止めブロック
【図１】
0003100125.tif 000003
【図２】
0003100125.tif 000004
【図３】
0003100125.tif 000005
【図４】
0003100125.tif 000006
【図５】
0003100125.tif 000007
【図６】
0003100125.tif 000008
【図７】
0003100125.tif 000009
【図８】
0003100125.tif 000010
【図９】
0003100125.tif 000011